(57)【要約】  【課題】  記録媒体に記録してある番組コンテンツデータから脱着式記録媒体にダビングする番組コンテンツデータを容易に選択できる録画装置を提供する。  【解決手段】  制御部１０は、ユーザによってＨＤ２０ａからＤＶＤ１９ａへのダビング処理の実行が指示された場合、ＤＶＤ１９ａに録画されている番組データの番組タイトルを抽出する。制御部１０は、抽出した番組タイトルの前半部分を検索キーワードとして、ＨＤ２０ａに録画されている番組データの番組タイトルに対して前方一致検索を行ない、その結果を示す検索結果画像を作成してモニタ装置３に表示させる。制御部１０は、検索結果画像に基づいてＨＤ２０ａからＤＶＤ１９ａへダビングする番組データの選択を受け付け、選択された番組データをＨＤＤ２０によってＨＤ２０ａから読み出し、読み出した番組データをＤＶＤドライブ１９によってＤＶＤ１９ａにダビングする。【選択図】      図１
2006262013.tif 000002
【特許請求の範囲】
【請求項１】
番組コンテンツデータ及び該番組コンテンツデータに係る番組情報を記録する記録媒体と、番組コンテンツデータ及び該番組コンテンツデータに係る番組情報を記録する脱着式記録媒体の装着が可能な装着部とを備える録画装置において、
番組コンテンツデータ及び該番組コンテンツデータに係る番組情報が記録されている脱着式記録媒体が前記装着部に装着された場合、該脱着式記録媒体に記録してある番組情報に関連する番組情報を前記記録媒体から検索する検索手段と、
該検索手段による検索結果を示す検索結果表を作成する作成手段と
を備えることを特徴とする録画装置。
【請求項２】
前記作成手段は、前記検索結果に複数の番組情報が含まれる場合、検索された番組情報を所要の順序に従って示す検索結果表を作成するように構成してあることを特徴とする請求項１に記載の録画装置。
【請求項３】
前記記録媒体に記録してある番組コンテンツデータのサムネイル画像を作成するサムネイル作成手段を備え、
前記検索結果表は、前記サムネイル作成手段が作成した前記検索結果に含まれる番組情報に係る番組コンテンツデータのサムネイル画像を含むことを特徴とする請求項１又は２に記載の録画装置。
【請求項４】
前記記録媒体には、前記検索結果に含まれない番組情報に係る番組コンテンツデータが記録されており、
前記記録媒体に記録してある番組コンテンツデータのサムネイル画像を作成するサムネイル作成手段を備え、
前記作成手段は、前記サムネイル作成手段が作成した前記検索結果に含まれる番組情報に係る番組コンテンツデータのサムネイル画像を、前記サムネイル作成手段が作成した前記検索結果に含まれない番組情報に係る番組コンテンツデータのサムネイル画像と識別可能に示す検索結果表を作成するように構成してあることを特徴とする請求項１に記載の録画装置。
【請求項５】
前記番組情報は、番組コンテンツデータに係る番組タイトルを含むことを特徴とする請求項１乃至４のいずれかひとつに記載の録画装置。
【請求項６】
前記検索結果表に基づいて、前記記録媒体から前記脱着式記録媒体へダビングする番組コンテンツデータの選択を受け付ける受付手段と、
該受付手段が受け付けた選択に従って、前記記録媒体に記録してある番組コンテンツデータ及び該番組コンテンツデータに係る番組情報を前記脱着式記録媒体にダビングするダビング手段と
を備えることを特徴とする請求項１乃至５のいずれかひとつに記載の録画装置。
【請求項７】
前記脱着式記録媒体の記録可能な残容量を検出する検出手段と、
該検出手段が検出した残容量及び前記検索結果表に基づいて、前記記録媒体から前記脱着式記録媒体へダビング可能な番組コンテンツデータを特定する手段と、
特定された番組コンテンツデータを外部へ通知する手段と
を備えることを特徴とする請求項１乃至５のいずれかひとつに記載の録画装置。
【請求項８】
前記記録媒体に記録してある各番組コンテンツデータに対応して、再生又は脱着式記録媒体へのダビングが行なわれたか否かを示す処理情報を記憶する手段を備え、
前記作成手段は、前記処理情報に基づいて、再生又は脱着式記録媒体へのダビングが行なわれた番組情報と、再生又は脱着式記録媒体へのダビングが行なわれていない番組情報とを識別可能に示す検索結果表を作成するように構成してあることを特徴とする請求項１乃至７のいずれかひとつに記載の録画装置。
【発明の詳細な説明】
【技術分野】
【０００１】
本発明は、番組コンテンツデータを記録する記録媒体を備え、番組コンテンツデータを記録する脱着式記録媒体の装着が可能な録画装置に関する。
【背景技術】
【０００２】
テレビジョン放送信号を受信し、受信したテレビジョン放送信号の番組コンテンツデータ（以下、番組データともいう）を記録媒体に記録し、必要に応じて接続されたテレビジョン装置で再生する記録再生装置が普及している。記録再生装置としては、記録媒体に磁気テープを用いるビデオカセットレコーダ（ＶＣＲ）、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクレコーダ等が実用化されている。
【０００３】
また、大容量のＨＤＤを備えると共にＤＶＤへの録画が可能な記録再生装置も普及しており、ユーザは好きなテレビ番組の番組データを、ＨＤＤの残りの記録容量を気にすることなく手軽に記録しておき、気に入ったテレビ番組のみをＤＶＤに記録（転記）して残しておくことができる。更に、近年では、複数の記録再生装置をネットワークを介して接続することによってネットワークシステムを構成し、１つの記録再生装置に録画させた番組データを編集し、また、ネットワークを介して他の記録再生装置にダビングすることが可能である（例えば、特許文献１参照）。
【特許文献１】特開２００１−１６７５１６号公報
【発明の開示】
【発明が解決しようとする課題】
【０００４】
上述したようにＨＤＤに一旦記録させた番組データをＤＶＤにダビングする場合、ユーザは、例えば全１２回の連続ドラマのように、関連する内容の番組データ又は類似した内容の番組データを同一のＤＶＤにダビングしたいという要望がある。しかし、ユーザは、連続ドラマにおける各回の番組データをどのＤＶＤにダビングしたか、又はダビングすべく装入したＤＶＤに既にダビングしてある番組データが何回目の放送の番組データであるか等を適宜確認する必要がある。従って、多数のＤＶＤから所望のＤＶＤを適切に選択すると共に、多数の番組が既に録画してあるＨＤＤから所望の番組を適切に選択することは非常に煩雑であり、ユーザによる操作負担が増大するという問題を有している。
【０００５】
本発明は斯かる事情に鑑みてなされたものであり、その目的とするところは、脱着式記録媒体に記録してある番組コンテンツデータに係る番組情報に関連する番組情報を記録媒体から検索することにより、前記記録媒体に記録してある番組コンテンツデータのうちの、脱着式記録媒体に既に記録してある番組コンテンツデータに関連する番組コンテンツデータを容易に把握することが可能な録画装置を提供することにある。
【０００６】
本発明の他の目的は、記録媒体に記録してある番組コンテンツデータに係る番組情報を、脱着式記録媒体に記録してある番組コンテンツデータに関連する番組コンテンツデータと関連しない番組コンテンツデータとで識別できるように表示することにより、両番組コンテンツデータを容易に区別することが可能な録画装置を提供することにある。
【０００７】
本発明の他の目的は、脱着式記録媒体に記録してある番組コンテンツデータに係る番組情報に関連する番組情報を記録媒体から検索した結果に基づいて、前記記録媒体から前記脱着式記録媒体へダビングする番組コンテンツデータの選択を受け付けることにより、脱着式記録媒体に何らかの関係を有する番組コンテンツデータを記録させる場合に、ダビングさせる番組コンテンツデータの選択を容易にすることが可能な録画装置を提供することにある。
【０００８】
本発明の他の目的は、脱着式記録媒体に記録してある番組コンテンツデータに係る番組情報に関連する番組情報を記録媒体から検索した結果と、脱着式記録媒体の記録可能な残容量とに応じて前記記録媒体から前記脱着式記録媒体へダビング可能な番組コンテンツデータを特定し、通知することが可能な録画装置を提供することにある。
【０００９】
本発明の他の目的は、脱着式記録媒体に記録してある番組コンテンツデータに係る番組情報に関連する番組情報を記録媒体から検索した結果に、各番組コンテンツデータが再生又は脱着式記録媒体へのダビングを行なわれたか否かを表示することが可能な録画装置を提供することにある。
【課題を解決するための手段】
【００１０】
本発明に係る録画装置は、番組コンテンツデータ及び該番組コンテンツデータに係る番組情報を記録する記録媒体と、番組コンテンツデータ及び該番組コンテンツデータに係る番組情報を記録する脱着式記録媒体の装着が可能な装着部とを備える録画装置において、番組コンテンツデータ及び該番組コンテンツデータに係る番組情報が記録されている脱着式記録媒体が前記装着部に装着された場合、該脱着式記録媒体に記録してある番組情報に関連する番組情報を前記記録媒体から検索する検索手段と、該検索手段による検索結果を示す検索結果表を作成する作成手段とを備えることを特徴とする。
【００１１】
本発明によれば、番組コンテンツデータ及び該番組コンテンツデータに係る番組情報を記録する記録媒体を備え、脱着式記録媒体の装着が可能な録画装置が、番組コンテンツデータ及び該番組コンテンツデータに係る番組情報が記録されている脱着式記録媒体を装着された場合、該脱着式記録媒体に記録してある番組情報に関連する番組情報を前記記録媒体から検索し、検索結果を示す検索結果表を作成する。従って、前記記録媒体に記録してある番組コンテンツデータにおいて、脱着式記録媒体に既に記録してある番組コンテンツデータに関連する番組コンテンツデータを把握できる検索結果表を作成することが可能となる。
【００１２】
本発明に係る録画装置は、前記作成手段は、前記検索結果に複数の番組情報が含まれる場合、検索された番組情報を所要の順序に従って示す検索結果表を作成するように構成してあることを特徴とする。
【００１３】
本発明によれば、脱着式記録媒体に記録してある番組情報に関連する番組情報を記録媒体から検索した結果に複数の番組情報が含まれる場合、検索された番組情報を所要の順序に従って示す検索結果表を作成する。よって、例えば脱着式記録媒体に記録してある番組情報に関連する度合いが高い順に、検索された番組情報を表示することが可能となる。
【００１４】
本発明に係る録画装置は、前記記録媒体に記録してある番組コンテンツデータのサムネイル画像を作成するサムネイル作成手段を備え、前記検索結果表は、前記サムネイル作成手段が作成した前記検索結果に含まれる番組情報に係る番組コンテンツデータのサムネイル画像を含むことを特徴とする。
【００１５】
本発明によれば、脱着式記録媒体に記録してある番組情報に関連する番組情報を記録媒体から検索した結果を示す検索結果表に各番組コンテンツデータのサムネイルが含まれることにより、検索結果表において、各番組コンテンツデータを示す番組情報だけでなく各番組コンテンツデータの一部を表示させることが可能となる。
【００１６】
本発明に係る録画装置は、前記記録媒体には、前記検索結果に含まれない番組情報に係る番組コンテンツデータが記録されており、前記記録媒体に記録してある番組コンテンツデータのサムネイル画像を作成するサムネイル作成手段を備え、前記作成手段は、前記サムネイル作成手段が作成した前記検索結果に含まれる番組情報に係る番組コンテンツデータのサムネイル画像を、前記サムネイル作成手段が作成した前記検索結果に含まれない番組情報に係る番組コンテンツデータのサムネイル画像と識別可能に示す検索結果表を作成するように構成してあることを特徴とする。
【００１７】
本発明によれば、脱着式記録媒体に記録してある番組情報に関連する番組情報を記録媒体から検索した結果に含まれる番組情報に係る番組コンテンツデータのサムネイル画像を、前記結果に含まれない番組情報に係る番組コンテンツデータのサムネイル画像と識別可能に示す検索結果表を作成する。よって、記録媒体に記録してある番組情報を、脱着式記録媒体に記録してある番組情報に関連する番組情報と関連しない番組情報とが区別できるように表示することが可能となる。
【００１８】
本発明に係る録画装置は、前記番組情報は、番組コンテンツデータに係る番組タイトルを含むことを特徴とする。
【００１９】
本発明によれば、記録媒体及び脱着式記録媒体に番組コンテンツデータと共に番組タイトルを記録させることにより、脱着式記録媒体に既に記録してある番組コンテンツデータの番組タイトルに関連する番組タイトルの番組コンテンツデータを前記記録媒体から検索することが可能となる。
【００２０】
本発明に係る録画装置は、前記検索結果表に基づいて、前記記録媒体から前記脱着式記録媒体へダビングする番組コンテンツデータの選択を受け付ける受付手段と、該受付手段が受け付けた選択に従って、前記記録媒体に記録してある番組コンテンツデータ及び該番組コンテンツデータに係る番組情報を前記脱着式記録媒体にダビングするダビング手段とを備えることを特徴とする。
【００２１】
本発明によれば、脱着式記録媒体に記録してある番組情報に関連する番組情報を記録媒体から検索した結果に基づいて、前記記録媒体から前記脱着式記録媒体へダビングする番組コンテンツデータの選択を受け付け、受け付けた選択に従って、前記記録媒体に記録してある番組コンテンツデータ及び該番組コンテンツデータに係る番組情報を前記脱着式記録媒体にダビングする。よって、検索結果に基づいて、脱着式記録媒体に既に記録してある番組コンテンツデータに関連する番組コンテンツデータを前記記録媒体から容易に選択してダビングすることが可能となる。
【００２２】
本発明に係る録画装置は、前記脱着式記録媒体の記録可能な残容量を検出する検出手段と、該検出手段が検出した残容量及び前記検索結果表に基づいて、前記記録媒体から前記脱着式記録媒体へダビング可能な番組コンテンツデータを特定する手段と、特定された番組コンテンツデータを外部へ通知する手段とを備えることを特徴とする。
【００２３】
本発明によれば、脱着式記録媒体の記録可能な残容量を検出し、検出した残容量と、前記脱着式記録媒体に記録してある番組情報に関連する番組情報を記録媒体から検索した結果とに基づいて、前記記録媒体から前記脱着式記録媒体へダビング可能な番組コンテンツデータを特定し、特定された番組コンテンツデータを外部へ通知する。よって、脱着式記録媒体に既に記録してある番組コンテンツデータに関連する番組コンテンツデータを前記記録媒体から前記脱着式記録媒体にダビングする場合に、前記脱着式記録媒体の残容量に応じてダビング可能な番組コンテンツデータを通知することが可能となる。
【００２４】
本発明に係る録画装置は、前記記録媒体に記録してある各番組コンテンツデータに対応して、再生又は脱着式記録媒体へのダビングが行なわれたか否かを示す処理情報を記憶する手段を備え、前記作成手段は、前記処理情報に基づいて、再生又は脱着式記録媒体へのダビングが行なわれた番組情報と、再生又は脱着式記録媒体へのダビングが行なわれていない番組情報とを識別可能に示す検索結果表を作成するように構成してあることを特徴とする。
【００２５】
本発明によれば、記録媒体に記録してある各番組コンテンツデータが再生又は脱着式記録媒体へのダビングを行なわれたか否かを示す処理情報を記憶しており、脱着式記録媒体に記録してある番組情報に関連する番組情報を記録媒体から検索した結果を示す検索結果表に、再生又は脱着式記録媒体へのダビングが行なわれた番組情報と、再生又は脱着式記録媒体へのダビングが行なわれていない番組情報とを識別可能に表示する。よって、脱着式記録媒体に記録してある番組情報に関連する番組情報を表示するだけでなく、表示された各番組情報に係る番組コンテンツデータが、再生されたか否か又は脱着式記録媒体へダビングされたか否かも通知することが可能となる。
【発明の効果】
【００２６】
本発明では、番組コンテンツデータ及び該番組コンテンツデータに係る番組情報を記録する記録媒体を備え、脱着式記録媒体の装着が可能な録画装置が、脱着式記録媒体を装着された場合、該脱着式記録媒体に記録してある番組情報に関連する番組情報を前記記録媒体から検索する。そして、検索した結果を示す検索結果表を作成することにより、前記記録媒体に記録してある番組コンテンツデータのうちの、脱着式記録媒体に既に記録してある番組コンテンツデータに関連する番組コンテンツデータと、関連しない番組コンテンツデータとを容易に区別することができる。よって、脱着式記録媒体に既に記録してある番組コンテンツデータに関連する番組コンテンツデータを前記記録媒体に記録してある番組コンテンツデータから選択する際のユーザの操作負担を軽減することができる。
【００２７】
本発明では、脱着式記録媒体に記録してある番組情報に関連する番組情報を記録媒体から検索した結果に複数の番組情報が含まれる場合、検索された番組情報を所要の順序に従って示す検索結果表を作成する。よって、例えば脱着式記録媒体に記録してある番組情報に関連する度合いが高い順に、検索された番組情報を表示した場合には、ユーザによって選択される可能性の高い順に番組情報を表示させることができ、前記記録媒体に記録してある番組コンテンツデータを選択するユーザの操作負担をより軽減することができる。
【００２８】
本発明では、脱着式記録媒体に記録してある番組情報に関連する番組情報を記録媒体から検索した結果を示す検索結果表に各番組コンテンツデータのサムネイルが含まれることにより、検索結果表において、各番組コンテンツデータを示す番組情報だけでなく各番組コンテンツデータの内容を把握することができ、前記記録媒体に記録してある番組コンテンツデータを選択するユーザの操作負担をより軽減することができる。
【００２９】
本発明では、脱着式記録媒体に記録してある番組情報に関連する番組情報を記録媒体から検索した結果に含まれる番組情報に係る番組コンテンツデータのサムネイル画像を、前記結果に含まれない番組情報に係る番組コンテンツデータのサムネイル画像と識別可能に表示する。よって、記録媒体に記録してある番組情報を、脱着式記録媒体に記録してある番組情報に関連する番組情報と関連しない番組情報とで区別できるだけでなく、各番組コンテンツデータのサムネイル画像に基づいて各番組コンテンツデータの内容を把握することができる。これにより、脱着式記録媒体に記録してある番組コンテンツデータに関連する番組コンテンツデータを前記記録媒体に記録してある番組コンテンツデータから選択するユーザの操作負担をより軽減することができる。
【００３０】
本発明では、記録媒体及び脱着式記録媒体に番組コンテンツデータと共に番組タイトルを記録させることにより、脱着式記録媒体に既に記録してある番組コンテンツデータの番組タイトルに関連する番組タイトルの番組コンテンツデータを前記記録媒体から検索することができ、番組タイトルに基づいて、前記記録媒体に記録してある番組コンテンツデータを選択するユーザの操作負担をより軽減することができる。
【００３１】
本発明では、脱着式記録媒体に記録してある番組情報に関連する番組情報を記録媒体から検索した結果に基づいて、前記記録媒体から前記脱着式記録媒体へダビングする番組コンテンツデータの選択を受け付け、受け付けた選択に従って、前記記録媒体に記録してある番組コンテンツデータ及び該番組コンテンツデータに係る番組情報を前記脱着式記録媒体にダビングする。よって、ユーザは、検索結果に基づいて記録媒体から脱着式記録媒体へダビングしたい番組コンテンツデータを容易に選択することができる。
【００３２】
本発明では、脱着式記録媒体の記録可能な残容量と、前記脱着式記録媒体に記録してある番組情報に関連する番組情報を記録媒体から検索した結果とに基づいて、前記記録媒体から前記脱着式記録媒体へダビング可能な番組コンテンツデータを特定し、特定された番組コンテンツデータを外部へ通知する。よって、ユーザは、脱着式記録媒体に既に記録してある番組コンテンツデータに関連する番組コンテンツデータを前記記録媒体から前記脱着式記録媒体にダビングする場合に、前記脱着式記録媒体の残容量に応じてダビング可能な番組コンテンツデータを知ることができる。
【００３３】
本発明では、脱着式記録媒体に記録してある番組情報に関連する番組情報を記録媒体から検索した結果を示す検索結果表に、再生又は脱着式記録媒体へのダビングが行なわれた番組情報と、再生又は脱着式記録媒体へのダビングが行なわれていない番組情報とを識別可能に表示する。よって、ユーザは、脱着式記録媒体に記録してある番組情報に関連する番組情報だけでなく、表示された各番組情報に係る番組コンテンツデータが、再生されたか否か又は脱着式記録媒体へダビングされたか否かも知ることができる。
【発明を実施するための最良の形態】
【００３４】
以下に、本発明に係る録画装置をその実施形態を示す図面に基づいて詳述する。図１は本発明に係る録画装置の構成例を示すブロック図である。図１において破線はテレビジョン放送に係る放送番組の番組信号・番組コンテンツデータ（番組データ）の流れを示している。本実施形態の録画装置１は、受信したテレビジョン放送信号の番組データを記録する記録媒体としてＨＤ及びＤＶＤを用いることができる。また、録画装置１は、液晶ディスプレイ又はＣＲＴディスプレイ等のモニタ装置３と、映像信号用の映像ケーブル及び音声信号用の音声ケーブルを介して接続されており、録画装置１が受信した放送番組、録画装置１が録画した放送番組等をモニタ装置３に表示させることができる。
【００３５】
更に、録画装置１は、リモートコントロール装置（以下、リモコン装置という）１ａとの間で赤外線を利用したＩｒＤＡ（Infrared Data Association）規格に従う無線通信が可能に構成されており、リモコン装置１ａによって遠隔から操作することができる。なお、録画装置１とリモコン装置１ａとを、赤外線を利用した無線通信だけでなく、例えば、ＩＥＥＥ８０２．１１ｂ規格に準拠した無線ＬＡＮ、及びBluetooth規格に従う無線通信等を介して接続してもよい。
【００３６】
録画装置１は、制御部１０、ＲＯＭ１１、ＲＡＭ１２、チューナ部１３、操作部１４、表示部１５、日時管理部１６、予約管理部１７、記録再生部１８、ＤＶＤドライブ１９、ＨＤＤ２０、映像ケーブル及び音声ケーブルを介してモニタ装置３へ番組信号を出力するための出力部２１、リモコンコード解析部２２、リモコン装置１ａからの赤外線を受光する赤外線受光部２３等を備えており、夫々はバス１０ａを介して相互に接続されている。
【００３７】
制御部１０は、ＣＰＵ（Central Processing Unit ）又はＭＰＵ（Micro Processor Unit）等により構成されており、バス１０ａを介して接続される上述したようなハードウェア各部を制御すると共に、ＲＯＭ１１に予め格納されている制御プログラムを適宜ＲＡＭ１２に読み出して実行する。ＲＯＭ１１は、録画装置１を本発明に係る録画装置として動作させるために必要な種々の制御プログラム、録画装置１に関する各種のメニュー画像等を予め記憶している。ＲＡＭ１２は、ＳＲＡＭ又はフラッシュメモリ等で構成されており、制御部１０による制御プログラムの実行時に発生するデータを一時的に記憶する。
【００３８】
チューナ部１３は、例えばＵＨＦテレビジョン放送信号及びＶＨＦテレビジョン放送信号、ＢＳ放送信号又はＣＳ放送信号等の受信用チューナであり、放送中継基地２の方向に向けて配置されたアンテナ２ａと接続されている。チューナ部１３は、ユーザにより選択された放送チャンネルに応じてアンテナ２ａで受信した電波を検波して放送番組の番組信号を受信し、受信した番組信号を記録再生部１８又は出力部２１へ転送する。なお、チューナ部１３が受信した番組信号に含まれる音声信号は、図示しないスピーカへ入力されて音声出力される。
【００３９】
操作部１４は、録画装置１をユーザが操作するために必要な各種のファンクションキーを備えており、ユーザにより各キーが操作された場合、操作されたキーに対応した制御信号を制御部１０へ送出する。これにより、制御部１０は操作部１４から取得する制御信号に従って各種処理を実行する。具体的に操作部１４には、録画装置１による放送番組の録画処理を開始させるための録画キー、録画装置１に録画してある放送番組の再生を開始させるための再生キー、録画処理又は再生処理を終了させるための停止キー等が設けられている。
【００４０】
赤外線受光部２３は、リモコン装置１ａからの赤外線を受光して所定の電気信号に変換し、得られた電気信号をリモコンコード解析部２２へ転送する。リモコンコード解析部２２は、赤外線受光部２３から取得した電気信号を解析し、リモコン装置１ａから入力された制御信号を取得し、取得した制御信号を制御部１０へ送出する。従って、制御部１０は、リモコン装置１ａから送信されてリモコンコード解析部２２によって解析された制御信号に従って各種処理を実行する。なお、リモコン装置１ａには、録画キー、再生キー及び停止キーのほかに、１〜１２の数字キー、十字キー、決定キー及びクリアキー等が設けられている。
【００４１】
表示部１５は、例えば液晶モニタによって構成されており、録画装置１の動作状態の表示、ユーザに対して通知すべき情報の表示等を行なう。なお、表示部１５をタッチパネル方式とすることにより、操作部１４の各種のキーのうちの一部又は全部を代用することも可能である。また、録画装置１は、ＲＯＭ１１に記憶してあるメニュー画像を表示部１５に表示させるだけでなく、出力部２１からモニタ装置３へ出力される番組データに基づく映像の上に、メニュー画像を表示させることもできる。
【００４２】
日時管理部１６は、絶対時間（年、月、日、時、分、秒）を示す時計手段を備えており、制御部１０からの指示に従って現在日時を制御部１０又は予約管理部１７等へ通知し、主としてタイマ予約（以下、予約という）による放送番組の録画処理に利用される。
【００４３】
予約管理部１７は、ユーザが操作部１４又はリモコン装置１ａを操作することによって予約された録画処理を示す予約情報を登録する予約管理テーブルを有している。予約管理テーブルには、図２（ａ）に示すように、予約された録画処理毎に、識別するための予約番号、放送番組のジャンル、放送チャンネル、録画開始の日時を示す開始日時、録画終了の日時を示す終了日時、放送番組のタイトル等が登録されている。なお、予約管理テーブルは、制御部１０がユーザによる録画処理の予約を受け付ける都度、及び予約された録画処理が終了する都度、制御部１０によって更新される。
【００４４】
予約管理部１７は、制御部１０からの制御に従って日時管理部１６から取得する現在日時に基づいて、予約管理テーブルに登録されている各録画処理の開始日時が経過したか否かを判断しており、経過したと判断した場合、記録再生部１８に録画処理を開始させる。また、予約管理部１７は、予約管理テーブルに登録されている各録画処理の終了日時が経過したか否かを判断しており、経過したと判断した場合、記録再生部１８に録画処理を終了させる。
【００４５】
なお、アンテナ２ａが受信する電波には、番組信号に係る電波のほかに、各放送局が放送する放送番組のジャンル、放送チャンネル、放送開始日時、放送終了日時及びタイトル等を示す番組情報を含むＥＰＧ（電子番組表）信号に係る電波が定期的に含まれる。従って、録画装置１は、アンテナ２ａで受信したＥＰＧ信号を利用して録画処理の予約を行なうこともできる。
【００４６】
記録再生部１８は、エンコーダを有しており、チューナ部１３から転送された番組信号をエンコーダにより所定形式の番組データに符号化圧縮し、接続されているＤＶＤドライブ１９又はＨＤＤ２０へ出力する。なお、エンコード形式としては、例えばＭＰＥＧ形式、ＤＶ圧縮形式、モーションＪＰＥＧ形式等を用いることができる。また、記録再生部１８は、デコーダを有しており、ＤＶＤドライブ１９によってＤＶＤ１９ａに記録された番組データ又はＨＤＤ２０によってＨＤ２０ａに記録された番組データを読み出してデコーダにより番組信号に復号化伸張し、伸張した番組信号を出力部２１へ転送する。
【００４７】
なお、記録再生部１８は、ユーザが操作部１４又はリモコン装置１ａから録画処理の開始を指示した場合、又は予約管理部１７から録画処理の開始を指示された場合に、番組データのＤＶＤドライブ１９又はＨＤＤ２０への転送を開始し、ＤＶＤ１９ａ又はＨＤ２０ａへの番組データの録画を開始する。また、記録再生部１８は、ユーザが操作部１４又はリモコン装置１ａから録画処理の終了を指示した場合、又は予約管理部１７から録画処理の終了を指示された場合に、番組データのＤＶＤドライブ１９又はＨＤＤ２０への転送を終了し、ＤＶＤ１９ａ又はＨＤ２０ａへの番組データの録画を終了する。
【００４８】
ＤＶＤドライブ１９は、脱着式記録媒体であるＤＶＤ１９ａの装着が可能な装着部（図示せず）に装着されたＤＶＤ１９ａへのアクセスを行なうインタフェースであり、記録再生部１８により符号化圧縮された番組データをそれぞれファイル単位でＤＶＤ１９ａに記憶させる。また、ＤＶＤドライブ１９は、記録再生部１８から取得してＤＶＤ１９ａに記録した番組データの録画情報（番組情報）を登録するＤＶＤ録画管理テーブルをＤＶＤ１９ａに記憶させている。
【００４９】
ＤＶＤ録画管理テーブルには、図２（ｂ）に示すように、ＤＶＤ１９ａに録画された番組データ毎に、放送番組のジャンル、放送チャンネル、録画開始の日時を示す開始日時、録画終了の日時を示す終了日時、放送番組のタイトル、ＤＶＤ１９ａにおける記憶領域等を含む録画情報が登録されている。なお、ＤＶＤ録画管理テーブルは、ＤＶＤドライブ１９が記録再生部１８からの番組データをＤＶＤ１９ａに記録する都度、制御部１０によって更新される。また、図２（ｂ）に示すＤＶＤ録画管理テーブルを記憶しているＤＶＤ１９ａには、タイトルが「ＸＹＺドラマ第１話」の番組データのみが録画されている。
【００５０】
ＨＤＤ２０は、ＨＤ（記録媒体）２０ａを内蔵しており、記録再生部１８により符号化圧縮された番組データをそれぞれファイル単位でＨＤ２０ａに記憶させる。また、ＨＤＤ２０も、ＤＶＤドライブ１９と同様に、ＨＤＤ２０が記録再生部１８からの番組データをＨＤ２０ａに記録する都度制御部１０によって更新される、図３に示すようなＨＤ録画管理テーブルをＨＤ２０ａに記憶させている。
【００５１】
ＨＤ録画管理テーブルには、図３に示すように、ＨＤ２０ａに録画された番組データ毎に、放送番組のジャンル、放送チャンネル、録画開始の日時を示す開始日時、録画終了の日時を示す終了日時、放送番組のタイトル、ＨＤ２０ａにおける記憶領域等を含む録画情報が登録されている。また、本実施形態のＨＤ２０ａには、ＨＤ録画管理テーブルで示すように、タイトルが「ＡＡアニメ」、「ＸＹＺドラマ第２話」、「サッカーＡＡ」、「夜のニュース」、「ＸＹＺドラマ第３話」、「サスペンス」、「ＸＹＺドラマ第４話」、「ミュージックＣ」等の複数の番組データが録画されている。
【００５２】
出力部２１は、チューナ部１３から転送されてくる番組信号、記録再生部１８から転送されてくる番組信号をモニタ装置３へ出力してモニタ装置３に表示させる。また、出力部２１は、制御部１０による制御に従ってＲＯＭ１１から読み出されたメニュー画像を番組信号に重ね合わせてモニタ装置３へ出力し、録画装置１に関する各種メニュー画面をモニタ装置３に表示させる。
【００５３】
上述した構成により、本実施形態の録画装置１は、チューナ部１３で取得した番組信号に基づく放送番組をモニタ装置３に表示させることができ、また、チューナ部１３で取得した番組信号をＤＶＤ１９ａ又はＨＤ２０ａに録画し、必要に応じてＤＶＤ１９ａ又はＨＤ２０ａに録画した番組信号をモニタ装置３で再生させることができる。
【００５４】
また、本実施形態の録画装置１は、ＨＤＤ２０によってＨＤ２０ａに録画された番組データをＤＶＤドライブ（ダビング手段）１９によってＤＶＤ１９ａにダビングできるように構成されている。具体的には、制御部１０は、ＨＤ２０ａに録画された番組データをＨＤＤ２０によって読み出し、読み出した番組データを記録再生部１８を介してＤＶＤドライブ１９へ入力し、ＤＶＤドライブ１９によってＤＶＤ１９ａにダビングさせる。
【００５５】
ここで、本実施形態の録画装置１において、制御部１０は、ＨＤ２０ａに録画してある番組データをＤＶＤ１９ａにダビングする際に、ダビング先として録画装置１に装着されたＤＶＤ１９ａに既に録画してある番組データの番組タイトルに類似する（関連する）番組タイトルの番組データがＨＤ２０ａに録画されているかを検索する検索手段として動作する。具体的には、制御部１０は、ユーザによってＤＶＤ１９ａが録画装置１に装着されて、ＨＤ２０ａからＤＶＤ１９ａへの番組データのダビング処理の実行が指示された場合、装着されたＤＶＤ１９ａに記憶してあるＤＶＤ録画管理テーブルに登録してある録画情報から、ＤＶＤ１９ａに既に録画してある番組データの番組タイトルを抽出する。
【００５６】
また、制御部１０は、抽出した番組タイトルの前半部分を検索キーワードとして、ＨＤ２０ａに記憶してあるＨＤ録画管理テーブルに登録してある各録画情報に対して前方一致検索を行なう。ここでは、制御部１０がＤＶＤ録画管理テーブルから抽出する番組タイトルは「ＸＹＺドラマ第１話」であり、制御部１０は、この番組タイトルの前方部分である「ＸＹＺ」又は「ＸＹＺドラマ」等を検索キーワードにしてＨＤ録画管理テーブルを検索する。そして、制御部１０は、検索した結果、「ＸＹＺドラマ第２話」、「ＸＹＺドラマ第３話」及び「ＸＹＺドラマ第４話」の番組タイトルを検索する。なお、制御部１０が行なう検索処理は、前方一致検索又は後方一致検索等、各種の検索処理を利用することができる。
【００５７】
更に、制御部１０は、ＲＯＭ１１に記憶してある所定のメニュー画像と、検索した結果とに基づいて、検索結果を示す検索結果画像（検索結果表）を作成する作成手段として動作する。そして、制御部１０は、作成した検索結果画像を出力部２１から出力し、図４に示すようなＨＤＤ録画リスト（検索結果画像）をモニタ装置３に表示させる。ＨＤＤ録画リストは、図４に示すように、ＨＤ２０ａに録画してある各番組データについて、各番組データのサムネイル画像、録画開始日時及び番組タイトルを表示しており、録画装置１に装着されたＤＶＤ１９ａに録画してある番組データの番組タイトルに類似すると検索された番組データを破線で示す枠で囲って表示している。
【００５８】
図４に示すようなＨＤＤ録画リストを参照することにより、ユーザは、ＨＤ２０ａに録画してある番組データについて、ＤＶＤ１９ａに録画してある番組データのタイトル（「ＸＹＺドラマ第１話」）に類似するタイトルの番組データと、類似しないタイトルの番組データとを容易に識別することができる。なお、ＨＤＤ録画リストに表示される各番組データのサムネイル画像は、ＲＯＭ１１に予め格納されている所定の制御プログラムを制御部（サムネイル作成手段）１０が実行することによって適宜作成するようにしてもよく、予め作成されたサムネイル画像をＨＤ２０ａ又はＤＶＤ１９ａに記録してあるＨＤ録画管理テーブル又はＤＶＤ録画管理テーブルに登録しておいてもよい。
【００５９】
ユーザは、ＨＤＤ録画リストにおいて、リモコン装置１ａの十字キーを操作することにより、ＨＤ２０ａに録画してある番組データのうちのＤＶＤ１９ａにダビングする番組データを選択することができ、決定キーを操作することにより、選択した番組データのＨＤ２０ａからＤＶＤ１９ａへのダビング処理の開始を指示することができる。従って、このＨＤＤ録画リストにおいて、番組データが選択されて決定キーが操作された場合、制御部１０は、ＨＤ２０ａからＤＶＤ１９ａへダビングする番組データの選択を受け付ける受付手段として動作し、ダビングする番組データの選択を受け付けた場合、選択された番組データをＨＤＤ２０によってＨＤ２０ａから読み出し、読み出した番組データを記録再生部１８を介してＤＶＤドライブ１９へ入力する。これにより、ＤＶＤドライブ１９は、入力された番組データをＤＶＤ１９ａにダビングさせる。
【００６０】
以下に、上述した構成の録画装置１によるＨＤ２０ａからＤＶＤ１９ａへの番組データのダビング処理についてフローチャートを参照しながら説明する。図５は本発明に係る録画装置１によるダビング処理の手順を示すフローチャートである。なお、以下に示す処理手順は一例であってこれに限られるものではない。また、以下の処理は、ＲＯＭ１１に予め格納してある制御プログラムに従って制御部１０が実行する。
【００６１】
ＨＤ２０ａに録画してある番組データをＤＶＤ１９ａにダビングしたいユーザは、ダビング先である所望のＤＶＤ１９ａを録画装置１に装着させ、リモコン装置１ａの所定のキーを操作することにより、ＨＤ２０ａからＤＶＤ１９ａへのダビング処理の実行を指示する。ユーザによってＨＤ２０ａからＤＶＤ１９ａへのダビング処理の実行が指示された録画装置１において、制御部１０は、まず、ユーザによって装着されたＤＶＤ１９ａに記録してあるＤＶＤ録画管理テーブルから、ＤＶＤ１９ａに既に録画してある各番組データのタイトルを抽出する（Ｓ１）。
【００６２】
制御部１０は、ＤＶＤ録画管理テーブルから抽出したタイトルに類似するタイトルを、ＨＤ２０ａに記録してあるＨＤ録画管理テーブルから検索し（Ｓ２）、検索した結果を示す検索結果画像（ＨＤＤ録画リスト）を作成する（Ｓ３）。具体的には、制御部１０は、ＨＤ２０ａに記録してあるＨＤ録画管理テーブルの登録内容に基づいて、ＨＤ２０ａに録画してある各番組データについて、サムネイル画像、録画開始日時及びタイトルを表示すると共に、ステップＳ２で検索されたタイトルの番組データを枠で囲って表示する検索結果画像を作成する。
【００６３】
制御部１０は、作成した検索結果画像を出力部２１から出力してモニタ装置３で表示させ（Ｓ４）、表示させた検索結果画像に基づくユーザからの番組データの選択待ち状態となる。制御部１０は、モニタ装置３に表示させた検索結果画像において、ユーザによって決定キーが操作されたか否かを判断しており（Ｓ５）、決定キーが操作されていない場合（Ｓ５：ＮＯ）、検索結果画像のモニタ装置３での表示を継続する（Ｓ４）。
【００６４】
制御部１０は、ユーザによって決定キーが操作されたと判断した場合（Ｓ５：ＹＥＳ）、ステップＳ４で表示させた検索結果画像に従ってユーザが選択した番組データをＨＤＤ２０によってＨＤ２０ａから読み出し、読み出した番組データを記録再生部１８を介してＤＶＤドライブ１９へ入力することにより、ＤＶＤドライブ１９によってＤＶＤ１９ａへダビングする（Ｓ６）。
【００６５】
このようにＨＤ２０ａに録画してある番組データをＤＶＤ１９ａにダビングする際に、ＤＶＤ１９ａに既に録画してある番組データのタイトルに類似するタイトルの番組データをＨＤ２０ａから検索することにより、同一のＤＶＤ１９ａに一連の番組データを録画させたい場合に、検索した結果を用いることによって、ＨＤ２０ａに録画してある番組データから所望の番組データを容易に選択することができる。
【００６６】
また、録画装置１を、制御部（検出手段）１０によってＤＶＤ１９ａにおける記録可能な残容量を検出できるように構成することもできる。この場合、録画装置１は、ＨＤＤ録画リスト（検索結果画像）においてユーザがダビングすべく選択した番組データの録画時間、録画倍率等と、ＤＶＤ１９ａの残容量とに基づいて、選択された番組データのＤＶＤ１９ａへのダビングが可能であるか否かを判断することができる。従って、ユーザによって選択された番組データがＤＶＤ１９ａへダビングできない場合には、録画装置１は、例えば「ＤＶＤの残容量が足りないためダビングできません」のようなメッセージをモニタ装置３に表示させることによりユーザに通知することができる。
【００６７】
更に、上述した実施形態では、ユーザがＨＤＤ録画リストにおいてＨＤ２０ａからＤＶＤ１９ａへダビングしたい番組データを選択する構成について説明したが、録画装置１に装着されたＤＶＤ１９ａに録画してある番組データのタイトルに類似するタイトルをＨＤ２０ａから検索した結果と、ＤＶＤ１９ａにおける記録可能な残容量とに基づいて、ＨＤ２０ａからＤＶＤ１９ａにダビングが可能な番組データを自動的に特定する構成とすることもできる。なお、ダビングが可能であると特定された番組データをユーザに通知することにより、ユーザは、通知された番組データからダビングすべき番組データを選択することができ、ＨＤ２０ａに録画された多数の番組データからより容易に所望の番組データを探し出すことができる。
【００６８】
上述した実施形態において、ＨＤＤ録画リスト（検索結果画像）は、ＨＤ２０ａに録画してある各番組データのサムネイル画像、録画開始日時及びタイトルについて、録画装置１に装着されたＤＶＤ１９ａに録画してある番組データの番組タイトルに類似すると検索された番組データを破線で示す枠で囲って表示しているが、例えば各番組データのサムネイル画像の枠に色を付することによって、識別できるようにしてもよい。
【００６９】
また、制御部１０によって検索された番組データのみを表示対象としてＨＤＤ録画リストを作成してもよく、ＨＤＤ録画リストに表示される各番組データを、例えば前方一致検索を行なった場合に類似する割合が高い順のように所要の順序に従って表示させるようにしてもよい。図６はＨＤＤ録画リストの構成例を示す模式図であり、図６（ａ）には図４に示したＨＤＤ録画リストの変形例を示している。図６（ａ）に示すＨＤＤ録画リストは、制御部１０によって検索された番組データのみを表示対象としており、前方一致検索を行なった場合に類似する割合が高い順に各番組情報を表示している。具体的には番組タイトルが「ＸＹＺドラマ第２話」、「ＸＹＺドラマ第３話」、「ＸＹＺドラマ第４話」の順に各番組情報が表示されている。
【００７０】
更に、図６（ｂ）に示すように、各番組データのサムネイル画像を表示させずに、ＨＤ録画管理テーブルに登録してある各録画情報に基づいて、各番組データのジャンル、放送チャンネル、録画開始日時及び番組タイトルのみを表示させるＨＤＤ録画リストを作成するようにしてもよい。また、録画情報のみを表示させるＨＤＤ録画リストにおいて、ＨＤ２０ａに録画してある全ての番組データの録画情報を表示させると共に、録画装置１に装着されたＤＶＤ１９ａに録画してある番組データの番組タイトルに類似すると検索された番組データの録画情報を、破線で示す枠で囲って表示することにより、類似する番組データと、類似しない番組データとを識別可能に表示するようにしてもよい。
【００７１】
また、ＨＤ２０ａに録画してある各番組データについて、モニタ装置３での再生処理又はＤＶＤ１９ａへのダビング処理が行なわれたか否かを示す処理情報をＨＤ録画管理テーブルに登録しておくことにより、図４及び図６に示すようなＨＤＤ録画リストにおいて、再生処理又はダビング処理が行なわれた番組データの番組情報と、再生処理又はダビング処理が行なわれていない番組データの番組情報とを識別可能に表示する検索結果画像を作成するようにしてもよい。
【００７２】
図７はＨＤＤ録画リストの構成例を示す模式図であり、図７（ａ）には図６（ａ）に示したＨＤＤ録画リストの変形例を、図７（ｂ）には図６（ｂ）に示したＨＤＤ録画リストの変形例をそれぞれ示している。図７（ａ）及び（ｂ）に示すように、ＨＤＤ録画リストに、各番組データがＤＶＤ１９ａへのダビング処理を行なわれたか否かを表示させることにより、ユーザが、ＨＤＤ録画リストに基づいてダビングしたい番組データを容易に選択することが可能となる。なお、ＨＤＤ録画リストに、各番組データが再生されたか否かを表示させた場合には、ユーザは、ＨＤＤ２０ａに録画してある各番組データが既に視聴を行なった番組データであるか否かを容易に把握することができる。
【００７３】
上述した実施形態の録画装置１は、録画装置１に装着されたＤＶＤ１９ａに録画してある番組データの番組タイトルに類似する番組タイトルの番組データがＨＤ２０ａに録画されているかを検索する構成としてあるが、例えば、各番組データの録画曜日及び録画開始時刻、又は放送チャンネル等に基づく検索処理を行なう構成としてもよい。具体的には、制御部１０は、ユーザによって装着されたＤＶＤ１９ａに記憶してあるＤＶＤ録画管理テーブルに登録してある録画情報から、ＤＶＤ１９ａに録画してある番組データの録画開始日時を抽出し、抽出した録画開始日時における曜日及び時刻を検索キーワードとして、ＨＤ２０ａに記憶してあるＨＤ録画管理テーブルに登録してある各録画情報に対して検索を行なう。
【００７４】
これにより、ＨＤ２０ａに録画してある番組データから、例えば連続ドラマのように所定曜日の所定時刻に毎週放送される番組を検索することができ、連続ドラマを同一のＤＶＤ１９ａにダビングする際に、ＨＤ２０ａに録画してある番組データから所望の番組データを容易に選択することができる。
【００７５】
また、上述した実施形態では、ＨＤＤ２０によってＨＤ２０ａに録画された番組データをＤＶＤドライブ１９によってＤＶＤ１９ａにダビングする際の処理について説明したが、録画装置１が、ＤＶＤドライブ１９によってＤＶＤ１９ａに録画された番組データをＨＤＤ２０によってＨＤ２０ａにダビングできる場合には、同様の処理によってＤＶＤ１９ａに録画してある番組データから所望の番組データを容易に選択することができる。なお、本実施形態の録画装置１は、ＤＶＤ１９ａに対する記録再生処理を行なう構成であるが、脱着式記録媒体としてはＤＶＤに限られない。
【００７６】
更に、上述した実施形態では、ＨＤ２０ａからＤＶＤ１９ａへダビングすべき番組データを選択する際にＤＶＤ１９ａに録画してある番組データに類似する番組データを検索する構成について説明したが、ＨＤ２０ａに録画してある番組データをモニタ装置３で再生させる場合にも図４に示すＨＤＤ録画リストを用いて所望の番組データを容易に選択することができる。
【図面の簡単な説明】
【００７７】
【図１】本発明に係る録画装置の構成例を示すブロック図である。
【図２】（ａ）は予約管理テーブルの登録内容の例を示す模式図、（ｂ）はＤＶＤ録画管理テーブルの登録内容の例を示す模式図である。
【図３】ＨＤ録画管理テーブルの登録内容の例を示す模式図である。
【図４】ＨＤＤ録画リストの構成例を示す模式図である。
【図５】本発明に係る録画装置によるダビング処理の手順を示すフローチャートである。
【図６】ＨＤＤ録画リストの構成例を示す模式図である。
【図７】ＨＤＤ録画リストの構成例を示す模式図である。
【符号の説明】
【００７８】
１  録画装置
１０  制御部（検索手段、作成手段、サムネイル作成手段、受付手段、検出手段）
１９  ＤＶＤドライブ（ダビング手段）
１９ａ  ＤＶＤ（脱着式記録媒体）
２０  ＨＤＤ
２０ａ  ＨＤ（記録媒体）
【図１】
2006262013.tif 000003
【図２】
2006262013.tif 000004
【図３】
2006262013.tif 000005
【図４】
2006262013.tif 000006
【図５】
2006262013.tif 000007
【図６】
2006262013.tif 000008
【図７】
2006262013.tif 000009